(57)【要約】【課題】反射体の位置を精度良く固定することができる照明装置を提供することである。【解決手段】実施形態の照明装置１は、平面部１００ａを有する放熱器１００を具備する。実施形態の照明装置１は、板状の基板６０１の所定面に発光素子６０２が実装され、かつ、基板６０１の所定面とは反対側の基板６０１の面が放熱器１００の平面部１００ａに取り付けられた発光モジュール６００を具備する。実施形態の照明装置１は、平面部１００ａの周囲に設けられ、一部に切り欠き１０４、１０５が形成された部材１０６を具備する。実施形態の照明装置１は、発光素子６０２から放射される光を反射する反射体７００を具備する。実施形態の照明装置１は、反射体７００に設けられ、２方向に延びる延伸部７０４ａ、７０５ａを有し、かつ、延伸部７０４ａ、７０５ａが切り欠き１０４、１０５に挿通されることで、放熱器１００に対して反射体７００の位置を固定することが可能な弾性部材７０４、７０５を具備する。【選択図】図１
2014063620.tif 000002
【特許請求の範囲】
【請求項１】
平面部を有する放熱器と；
板状の基板の所定面に発光素子が実装され、かつ、前記基板の所定面とは反対側の基板の面が前記放熱器の平面部に取り付けられた発光モジュールと；
前記平面部の周囲に設けられ、一部に穴または切り欠きが形成された部材と；
前記発光素子から放射される光を反射する反射体と；
前記反射体に設けられ、２方向に延びる延伸部を有し、かつ、前記延伸部が前記穴または前記切り欠きに挿通されることで、前記放熱器に対して前記反射体の位置を固定することが可能な弾性部材と；
を具備することを特徴する照明装置。
【請求項２】
前記放熱器および前記部材は、一体成形されたことを特徴とする請求項１に記載の照明装置。
【請求項３】
投光開口が形成され、前記反射体の少なくとも一部を覆うように設けられた化粧枠と；
前記放熱器を支持し、前記放熱器の周囲に取り付けられる環状の基材と；
前記化粧枠の周縁部の一部及び前記基材の周縁部の一部に固設させることで、前記化粧枠と前記基材とを離間した状態で固定するとともに、前記化粧枠との間で天井を挟持する押さえ部材が取り付けられた複数の固定部材と；
を更に具備することを特徴とする請求項１または２に記載の照明装置。
【請求項４】
前記穴または前記切り欠きは、前記部材において、隣接する２つの前記固定部材間の中央部分に形成されたことを特徴とする請求項３に記載の照明装置。
【請求項５】
前記穴または前記切り欠きは、隣接する２つの前記固定部材のそれぞれから、所定値以上の間隔をあけて前記部材に形成されたことを特徴とする請求項３に記載の照明装置。
【発明の詳細な説明】
【技術分野】
【０００１】
本発明の実施形態は、照明装置に関する。
【背景技術】
【０００２】
従来、ＬＥＤ（Light  Emitting  Diode）等の半導体発光素子を光源とする照明装置が用いられている。かかる照明装置の一例としては、光源ランプを覆う反射体に取り付けられたＶ字型のバネを、照明装置の外側に設けられた、一部に穴または切り欠きが形成された部材の穴または切り欠きに挿通させて、反射体の位置を固定するものがある。
【０００３】
しかしながら、このような照明装置では、固定された反射体の位置の精度が良いとは限らない。
【先行技術文献】
【特許文献】
【０００４】
【特許文献１】特開２００５−２７６７０３号公報
【発明の概要】
【発明が解決しようとする課題】
【０００５】
本発明が解決しようとする課題は、反射体の位置を精度良く固定することができる照明装置を提供することである。
【課題を解決するための手段】
【０００６】
実施形態の照明装置は、放熱器と、発光モジュールと、部材と、反射体と、弾性部材とを具備する。放熱器は、平面部を有する。発光モジュールは、板状の基板の所定面に発光素子が実装され、かつ、基板の所定面とは反対側の基板の面が放熱器の平面部に取り付けられている。部材は、平面部の周囲に設けられ、一部に穴または切り欠きが形成されている。反射体は、発光素子から放射される光を反射する。弾性部材は、反射体に設けられ、２方向に延びる延伸部を有し、かつ、延伸部が穴または切り欠きに挿通されることで、放熱器に対して反射体の位置を固定することが可能な部材である。
【図面の簡単な説明】
【０００７】
【図１】図１は、実施形態に係る照明装置の外観例を示す斜視図である。
【図２】図２は、実施形態に係る照明装置の外観例を示す斜視図である。
【図３】図３は、反射体の外観例を示す図である。
【図４】図４は、反射体が取り付けられる前の照明装置の外観例を示す図である。
【図５】図５は、実施形態に係る照明装置の分解例を示す斜視図である。
【発明を実施するための形態】
【０００８】
以下で説明する実施形態に係る照明装置１において、放熱器１００は、平面部１００ａを有する。発光モジュール６００は、板状の基板６０１の所定面に発光素子６０２が実装され、かつ、基板６０１の所定面とは反対側の基板６０１の面が放熱器１００の平面部１００ａに取り付けられている。部材１０６は、平面部１００ａの周囲に設けられ、一部に穴または切り欠き１０４、１０５が形成されている。反射体７００は、発光素子６０２から放射される光を反射する。弾性部材７０４、７０５は、反射体７００に設けられ、２方向に延びる延伸部７０４ａ、７０５ａを有し、かつ、延伸部７０４ａ、７０５ａが穴または切り欠き１０４、１０５に挿通されることで、放熱器１００に対して反射体７００の位置を固定することが可能な部材である。
【０００９】
また、以下で説明する実施形態に係る照明装置１において、放熱器１００および部材１０６は、一体成形されている。
【００１０】
また、以下で説明する実施形態に係る照明装置１において、化粧枠４００は、投光開口が形成され、反射体７００の少なくとも一部を覆うように設けられている。基材１１０は、放熱器１００を支持し、放熱器１００の周囲に取り付けられる環状の部材である。複数の固定部材の一例である複数のシャーシ５１０、５２０は、化粧枠４００の周縁部の一部及び基材１１０の周縁部の一部に固設させることで、化粧枠４００と基材１１０とを離間した状態で固定する。また、複数のシャーシ５１０、５２０には、化粧枠４００との間で天井を挟持する押さえ部材５１１、５２１が取り付けられている。
【００１１】
また、以下で説明する実施形態に係る照明装置１において、部材１０６の穴又は切り欠き１０４、１０５は、反射体７００上において、隣接する２つのシャーシ５１０、５２０間の中央部分に設けられる。
【００１２】
また、以下で説明する実施形態に係る照明装置１において、部材１０６の穴又は切り欠き１０４、１０５は、隣接する２つのシャーシ５１０、５２０のそれぞれから、所定値以上の間隔をあけて反射体７００に設けられる。
【００１３】
また、以下で説明する実施形態に係る照明装置１において、基材１１０は、延伸部７０４ａ、７０５ａと接触しない位置に設けられる。
【００１４】
また、以下で説明する実施形態に係る照明装置１において、シャーシ５１０、５２０は、放熱器１００との間に隙間が形成されるように基材１１０及び化粧枠４００に固設される。
【００１５】
また、以下で説明する実施形態に係る照明装置１において、シャーシ５１０、５２０は、化粧枠４００の投光開口４０１を挿通して放熱器１００に取り付けられる反射体７００との間に隙間が形成されるように基材１１０及び化粧枠４００に固設される。
【００１６】
また、以下で説明する実施形態に係る照明装置１において、基材１１０よりも下側の放熱フィンの部分１０２は、基材１１０の内径よりも外側に向かって延びている。
【００１７】
（照明装置の外観例）
図１及び図２は、実施形態に係る照明装置１の外観例を示す斜視図である。図１では、照明装置１を斜め上方向から見た例を示し、図２では、照明装置１を斜め下方向から見た例を示す。
【００１８】
図１及び図２に示した照明装置１は、例えば、屋内の天井に埋め込み設置されるダウンライト型の照明器具である。図１及び図２に示した照明装置１は、例えば、ＬＥＤ等の発光素子を発光させることにより、図１及び図２に示した下方向に位置する室内等を照明する。かかる照明装置１は、放熱器１００と、平面形状の基材１１０と、取付部材２００と、化粧枠４００と、シャーシ５１０及び５２０と、反射体７００とを具備する。
【００１９】
放熱器１００は、熱伝導性の高い金属製である。例えば、放熱器１００は、アルミダイカストにより成型される。かかる放熱器１００は、平面部材である複数の放熱フィンを具備する。放熱器１００の内部には、ＬＥＤ等の発光素子を有する発光モジュール６００が設けられる（図５を参照）。放熱器１００は、発光素子から発生する熱を外部に放出する。これにより、放熱器１００は、照明装置１の温度上昇を抑制することができる。後述するが、放熱器１００には、固定ネジ等によって、基材１１０に取り付けられる。
【００２０】
基材１１０は、放熱器１００を支持する部材である。基材１１０は、例えば、環状の部材であり、放熱器１００の周辺に設けられる。ここで、基材１１０が設けられる位置の一例について説明する。ここで、固定バネ７０４の２つの延伸部７０４ａを互いに近づく方向に力が加えられて、２つの延伸部７０４ａ間の距離が略０になった状態での固定バネ７０４の長さを「Ｌ１」とする。また、同様に力が加えられて２つの延伸部７０５ａ間の距離が略０になった状態での固定バネ７０５の長さを「Ｌ２」とする。基材１１０は、「Ｌ１」及び「Ｌ２」よりも、基材１１０と後述する切り欠き１０４、１０５との距離が大きくなるような位置に設けられる。すなわち、放熱器１００では、基材１１０を取り付ける位置が、基材１１０と固定バネ７０４および固定バネ７０５とが接触しないような位置に構成されている。そのため、基材１１０と延伸部７０４ａ、７０５ａとが接触することを防止することができる。
【００２１】
また、放熱器１００の周辺には、固定バネ７０４の延伸部７０４ａが挿通される切り欠き１０４が形成されるとともに、固定バネ７０５の延伸部７０５ａが挿通される切り欠き１０５が形成された部材１０６が設けられている。具体的には、かかる部材１０６と放熱器１００とが一体成型されている。そのため、部材１０６及び放熱部１００の部品の数は、１つとなる。そのため、部品の数が多くなることを抑制することができる。切り欠き１０４は、部材１０６上において、隣接する２つのシャーシ５１０、５２０間の中央部分に形成することができる。これにより、固定バネ７０４の延伸部７０４ａが切り欠き１０４に挿通された場合に、延伸部７０４ａとシャーシ５１０、５２０とが接触することを抑制することができる。また、切り欠き１０４は、隣接する２つのシャーシ５１０、５２０のそれぞれから、所定値以上の間隔をあけて部材１０６に形成することができる。これによっても、固定バネ７０４の延伸部７０４ａが切り欠き１０４に挿通された場合に、延伸部７０４ａとシャーシ５１０、５２０とが接触することを抑制することができる。また、切り欠き１０５は、切り欠き１０４と対向する位置に形成されている。切り欠き１０５についても、切り欠き１０４と同様に、部材１０６上において、隣接する２つのシャーシ５１０、５２０間の中央部分に形成することができる。また、切り欠き１０５は、同様に、隣接する２つのシャーシ５１０、５２０のそれぞれから、所定値以上の間隔をあけて部材１０６に形成することもできる。
【００２２】
また、切り欠き１０４、１０５は、外側部分よりも、内側部分のほうが、大きくなっている（図５参照）。そのため、切り欠き１０４、１０５を有する部材１０６によれば、固定バネ７０４、７０５の延伸部７０４ａ、７０５ａをより確実に支持することができる。
【００２３】
また、基材１１０よりも下側の放熱フィンの部分１０２は、基材１１０の内径よりも延伸している。これにより、基材１１０よりも下側の放熱フィンの部分１０２では、放熱フィンの大きさがより大きくなる。そのため、放熱器１００によれば、発光素子から発生する熱をより多く外部に放出することができる。
【００２４】
取付部材２００は、天井に取り付け可能な部材である。例えば、取付部材２００が天井に取り付けられることによって、照明装置１が天井に設置される。取付部材２００は、固定ネジ等によって、基材１１０に取り付けられる。取付部材２００には、放熱器１００が放出する空気の流れを妨害しないように、適宜穴が設けられる。
【００２５】
化粧枠４００は、例えば、ＡＢＳ樹脂等の合成樹脂製、又は、アルミダイカスト等の金属製である。かかる化粧枠４００は、上下両端がそれぞれ略円形に開口された円筒形状に形成され、下端部から外向きに突出した環状フランジ４１０を有する。
【００２６】
シャーシ５１０及び５２０は、例えば、アルミダイカスト等の金属により成型される棒状の固定部材である。このようなシャーシ５１０、５２０は、基材１１０の周縁部の一部、及び、化粧枠４００の周縁部の一部に固設される。例えば、シャーシ５１０の一端が、固定ネジ等によって、基材１１０の周縁部の一部に取り付けられ、シャーシ５１０の他端が、固定ネジ等によって、化粧枠４００の周縁部の一部に取り付けられる。同様に、シャーシ５２０の一端が、固定ネジ等によって、基材１１０の周縁部の一部に取り付けられ、シャーシ５２０の他端が、固定ネジ等によって、化粧枠４００の周縁部の一部に取り付けられる。これにより、シャーシ５１０、５２０は、基材１１０と化粧枠４００とを離間した状態で固定する。
【００２７】
なお、シャーシ５１０、５２０は、放熱器１００との間に隙間が形成されるように基材１１０及び化粧枠４００に固設される。これにより、発光素子から発生する熱が放熱器１００から大気中に放出される。そのため、シャーシ５１０、５２０によれば、放熱効果を向上させることができる。
【００２８】
また、シャーシ５１０、５２０は、化粧枠４００の投光開口４０１を挿通して放熱器１００に取り付けられる反射体７００との間に隙間が形成されるように基材１１０及び化粧枠４００に固設される。これにより、シャーシ５１０、５２０に妨害されることなく反射体７００を放熱体１００に取り付けることができる。
【００２９】
また、シャーシ５１０、５２０は、照明装置１を天井に埋め込み設置する際に用いられる押さえ部材５１１、５２１を有する。照明装置１を天井に埋め込み設置する場合には、まず、押さえ部材５１１、５２１が天井壁の埋め込み孔に挿入され、環状フランジ４１０が天井に接触するまで押し上げられる。その後に、押さえ部材５１１、５２１が、環状フランジ４１０との間で天井壁を挟持することで、照明装置１は、天井に埋め込み設置される。
【００３０】
反射体７００は、例えば、ＡＢＳ樹脂等の合成樹脂製、又は、アルミダイカストなどの金属製であり、上下両端がそれぞれ略円形に開口された円筒形状に形成される（図５を参照）。かかる反射体７００は、化粧枠４００の開口部から挿入され、後述する固定バネ７０４、７０５が切り欠き１０４、１０５に挿通されることにより固定される。また、反射体７００は、固定バネ７０４、７０５が切り欠き１０４、１０５から抜けることにより、取り外される。反射体７００の具体的な固定方法については後述する。
【００３１】
反射体７００は、発光モジュール６００から放射される光を反射させることで配光を調整する。具体的には、発光モジュール６００の発光面から照射される光は、反射体７００の開口部を通過するので、反射体７００の円筒形状により照射方向が調整される（図５を参照）。
【００３２】
反射体７００の外観例について説明する。図３は、反射体の外観例を示す図である。図３の例に示すように、反射体７００は、取付金具７０１、反射体７０２を具備する。
【００３３】
後述するが、取付金具７０１の螺合部と、反射体７０２の螺合部とが螺合することにより、図３に示すように、取付金具７０１と反射体７０２とが一体となる。
【００３４】
また、図３に示すように、取付金具７０１には、２つのバネ支持部材７０３が互いに対向する位置に設けられている。バネ支持部材７０３は、固定バネ７０４、７０５を回転可能に支持する部材である。
【００３５】
また、固定バネ７０４は、弾性部材であり、２方向に延びる延伸部７０４ａを有する。同様に、固定バネ７０５は、弾性部材であり、２方向に延びる延伸部７０５ａを有する。ここで、固定バネ７０４、７０５を使用して、放熱器１００に対して反射体７０１を固定する方法について、図３及び図４を参照して説明する。図４は、反射体７００が取り付けられる前の照明装置１の外観例を示す図である。まず、２つの延伸部７０４ａのそれぞれが互いに近づく方向に、２つの延伸部７０４ａに力を加える。こうすると、２つの延伸部７０４ａは、変形して、図４に示す切り欠き１０４に挿通可能な大きさとなる。この状態で切り欠き１０４に２つの延伸部７０４ａを挿通させる。同様にして、２つの延伸部７０５ａを切り欠き１０５に挿通させる。そして、延伸部７０４ａ、７０５ａに加えられていた力を緩めると、２つの延伸部７０４ａのそれぞれが互いに遠ざかる方向に広がって部材１０６に支持されるとともに、２つの延伸部７０５ａのそれぞれが互いに遠ざかる方向に広がって部材１０６に支持される。したがって、延伸部７０４ａ、７０５ａ、及び、部材１０６によって、放熱器１００に対して反射体７０１が押し付けられる。この結果、先の図１および図２に示すように、放熱器１００に対して反射体７００が固定される。
【００３６】
以上のように、実施形態に係る照明装置１では、照明装置１の外側に設けられた部材に延伸部７０４ａ、７０５ａを支持させるのではなく、放熱器１００に設けられた部材１０６に、延伸部７０４ａ、７０５ａが支持される。そのため、実施形態に係る照明装置１によれば、放熱器１００に対して反射体７００の位置を精度良く固定することができる。ひいては、実施形態に係る照明装置１によれば、放熱器１００に設けられた発光素子に対して、反射体７００の位置を精度良く固定することができる。
【００３７】
（照明装置の分解例）
次に、図５を参照して、実施形態に係る照明装置１の分解例について説明する。図５は、実施形態に係る照明装置１の分解例を示す斜視図である。図５は、照明装置１を斜め下方向から見た例を示す。
【００３８】
図５に示すように、放熱器１００は、略円柱状、かつ、下端部が開口された形状に形成される。具体的には、放熱器１００は、内部に、載置面である平面部１００ａを有する。平面部１００ａには、板状の基板６０１と複数の発光素子を有するモジュール６０２とを有する発光モジュール６００が載置される。具体的には、平面部１００ａには、接着部材を介して、複数の発光素子を有するモジュール６０２が実装された基板６０１が設置される。すなわち、発光モジュール６００は、基板６０１の所定面に発光素子が実装され、かつ、基板６０１の所定面とは反対側の基板６０１の面が放熱器１００の平面部１００ａに取り付けられている。
【００３９】
図５に示すように、放熱器１００の下面（放熱器１００の裏面）１００ｂには、反射体８０１、下面カバー８０２及び部材８０３が放熱器１００に固定される際に、固定ネジ等がねじ込まれるネジ穴１００ｃ〜１００ｅが形成されている。
【００４０】
反射体８０１は、例えば、ＡＢＳ樹脂等の合成樹脂製、又は、アルミダイカストなどの金属製であり、上下両端がそれぞれ略円形に開口された円筒形状に形成される。反射体８０１は、発光モジュール６００から発光される光を反射する。かかる反射体８０１の周縁部には、放熱器１００に固定される際にネジ穴１００ｃ〜１００ｅに固定ネジ等を導くための切り欠き８０１ｃ〜８０１ｅが形成される。
【００４１】
下面カバー８０２は、発光素子によって発光される光を透過させる。下面カバー８０２は、反射体８０１の下面に取り付けられることにより、反射体８０１の下面を覆う。かかる下面カバー８０２は、反射体８０１の内部に埃等が入り込むことを防止する機能を有する。下面カバー８０２の周縁部には、放熱器１００に固定される際にネジ穴１００ｃ〜１００ｅに固定ネジ等を導くための切り欠き８０２ｃ〜８０２ｅが形成される。
【００４２】
部材８０３は、反射体８０１、下面カバー８０２を放熱器１００に押し付けるための部材である。部材８０３は、上下両端がそれぞれ略円形に開口された円筒形状に形成される。部材８０３によって、反射体８０１、下面カバー８０２が略均一の力で放熱器１００に押し付けられる。部材８０３の周縁部には、放熱器１００に固定される際に固定ネジ等が貫通するネジ通孔８０３ｃ〜８０３ｅが形成される。
【００４３】
放熱器１００に、反射板８０１、下面カバー８０２、部材８０３を取り付ける場合には、図示しない固定ネジ等を、部材８０３のネジ通孔８０３ｃに通し、下面カバー８０２の切り欠き８０２ｃおよび反射体８０１の切り欠き８０１ｃに沿わせて、放熱器１００のネジ穴１００ｃまで到達させる。そして、固定ネジ等をネジ穴１００ｃにねじ込ませる。また、図示しない固定ネジ等を、部材８０３のネジ通孔８０３ｄに通し、下面カバー８０２の切り欠き８０２ｄおよび反射体８０１の切り欠き８０１ｄに沿わせて、放熱器１００のネジ穴１００ｄまで到達させる。そして、固定ネジ等をネジ穴１００ｄにねじ込ませる。また、図示しない固定ネジ等を、部材８０３のネジ通孔８０３ｅに通し、下面カバー８０２の切り欠き８０２ｄおよび反射体８０１の切り欠き８０１ｄに沿わせて、放熱器１００のネジ穴１００ｄまで到達させる。そして、固定ネジ等をネジ穴１００ｄにねじ込ませる。これにより、放熱器１００に、反射板８０１、下面カバー８０２、部材８０３が取り付けられる。
【００４４】
取付金具７０１は、例えば、ＡＢＳ樹脂等の合成樹脂製、又は、アルミダイカストなどの金属製であり、上下両端がそれぞれ略円形に開口された円筒形状に形成される。同様に、反射体７０２も、例えば、ＡＢＳ樹脂等の合成樹脂製、又は、アルミダイカストなどの金属製であり、上下両端がそれぞれ略円形に開口された円筒形状に形成される。取付金具７０１の内面の上端部には、反射体７０２を支持するための螺合部７１１が形成される。螺合部７１１は、いわゆる「めねじ」としての機能を有し、取付金具７０１の上端部の内面に形成された溝に該当する。また、反射体７０２の外面の上端部には、取付金具７０１の螺合部７１１と螺合するための螺合部７１２が形成されている。螺合部７１２は、いわゆる「おねじ」としての機能を有し、反射体７０２の上端部の外面に形成された溝に該当する。
【００４５】
螺合部７１１と螺合部７１２とが螺合することにより、先の図３に示すように、取付金具７０１と反射体７０２とが一体となる。
【００４６】
また、図５に示すように、取付金具７０１には、バネ支持部材７０３が固定される際に固定ネジ等がねじ込まれるネジ穴７０１ａが互いに対向する位置に２つ形成されている。
【００４７】
バネ支持部材７０３には、取付金具７０１に固定される際に固定ネジ等が貫通するネジ通孔７０３ａが形成される。
【００４８】
取付金具７０１に、バネ支持部材７０３を取り付ける場合には、図示しない固定ネジ等を、バネ支持部材７０３のネジ通孔７０３ａに通し、取付金具７０１のネジ穴７０１ａにねじ込ませる。これにより、取付金具７０１に、バネ支持部材７０３が取り付けられる。
【００４９】
また、バネ支持部材７０３に、固定バネ７０４、７０５を取り付ける場合には、バネ支持部材７０３を構成する部材によって形成された２つの部材が重なった部分の２つの部材間の隙間から固定バネ７０４、７０５を通す。そして、バネ支持部材７０３を構成する部材によって形成された略円柱状の空間に、固定バネ７０４、７０５を移動させる。これにより、バネ支持部材７０３に、固定バネ７０４、７０５が取り付けられる。
【００５０】
また、図５に示すように、放熱器１００の取付部１００ｆ、１００ｇには、基材１１０が放熱器１００に固定される際に、固定ネジ等がねじ込まれるネジ穴１００ｈ、１００ｉが形成されている。
【００５１】
基材１１０には、放熱器１００に固定される際に、取付部１００ｆが挿通される切り欠け１１０ｂ、および、取付部１００ｇが挿通される切り欠け１１０ａが形成されている。また、基材１１０には、放熱器１００に固定される際に、固定ネジ等が貫通するネジ通孔１１０ｃ、１１０ｄが形成される。
【００５２】
放熱器１００に、基材１１０を取り付ける場合には、まず、放熱器１００の取付部１００ｆ、１００ｇを、放熱フィンの一部１０２と当接するまで、基材１１０の切り欠け１１０ｂ、１１０ａに挿通させる。放熱フィンの一部１０２と取付部１００ｆ、１００ｇが当節したら、基材１１０に対して放熱器１００を回転させて、ネジ穴１００ｈに対してネジ通孔１１０ｄ、ネジ穴１００ｉに対してネジ通孔１１０ｃを対向させる。そして、図示しない固定ネジ等を、基材１１０のネジ通孔１１０ｄに通し、放熱器１００のネジ穴１００ｈにねじ込ませる。同様に、図示しない固定ネジ等を、基材１１０のネジ通孔１１０ｃに通し、放熱器１００のネジ穴１００ｉにねじ込ませる。このようにして、放熱器１００に、基材１１０が取り付けられる。
【００５３】
また、基材１１０には、シャーシ５１０に固定される際に、固定ネジ等が貫通する３つのネジ通孔１１０ｆが形成される。また、基材１１０には、シャーシ５２０に固定される際に、固定ネジ等が貫通する３つのネジ通孔１１０ｅが形成される。
【００５４】
シャーシ５１０には、基材１１０がシャーシ５１０に固定される際に、固定ネジ等がねじ込まれる３つのネジ穴５１０ａが形成されている。また、シャーシ５２０には、基材１１０がシャーシ５２０に固定される際に、固定ネジ等がねじ込まれる３つのネジ穴５２０ａが形成されている。
【００５５】
シャーシ５１０に基材１１０を取り付ける場合には、図示しない３つの固定ネジ等を、基材１１０の３つのネジ通孔１１０ｆに通し、シャーシ５１０の３つのネジ穴５１０ａにねじ込ませる。このようにして、シャーシ５１０に基材１１０が取り付けられる。また、シャーシ５２０に基材１１０を取り付ける場合には、図示しない３つの固定ネジ等を、基材１１０の３つのネジ通孔１１０ｅに通し、シャーシ５２０の３つのネジ穴５２０ａにねじ込ませる。このようにして、シャーシ５２０に基材１１０が取り付けられる。
【００５６】
また、シャーシ５１０には、化粧枠４００がシャーシ５１０に固定される際に、固定ネジ等がねじ込まれるネジ穴５１０ｂが形成されている。また、シャーシ５２０には、化粧枠４００がシャーシ５２０に固定される際に、固定ネジ等がねじ込まれるネジ穴５２０ｂが形成されている。
【００５７】
化粧枠４００には、シャーシ５１０に固定される際に、固定ネジ等が貫通するネジ通孔４００ａが形成される。また、化粧枠４００には、シャーシ５２０に固定される際に、固定ネジ等が貫通するネジ通孔４００ｂが形成される。
【００５８】
シャーシ５１０に化粧枠４００を取り付ける場合には、図示しない固定ネジ等を、化粧枠４００のネジ通孔４００ａに通し、シャーシ５１０のネジ穴５１０ｂにねじ込ませる。このようにして、シャーシ５１０に化粧枠４００が取り付けられる。また、シャーシ５２０に化粧枠４００を取り付ける場合には、図示しない固定ネジ等を、化粧枠４００のネジ通孔４００ｂに通し、シャーシ５２０のネジ穴５２０ｂにねじ込ませる。このようにして、シャーシ５２０に化粧枠４００が取り付けられる。
【００５９】
また、基材１１０には、取付部材２００に固定される際に、固定ネジ等が貫通する２つのネジ通孔１１０ｈ、２つのネジ通孔１１０ｇが形成される。
【００６０】
取付部材２００には、基材１１０が取付部材２００に固定される際に、固定ネジ等がねじ込まれる２つのネジ穴２００ａ、２つのネジ穴２００ｂが形成されている。
【００６１】
取付部材２００に基材１１０を取り付ける場合には、図示しない２つの固定ネジ等を、基材１１０のネジ通孔１１０ｈに通し、取付部材２００のネジ穴２００ａにねじ込ませる。また、図示しない２つの固定ネジ等を、基材１１０のネジ通孔１１０ｇに通し、取付部材２００のネジ穴２００ｂにねじ込ませる。このようにして、取付部材２００に基材１１０が取り付けられる。
【００６２】
（実施形態の効果）
上述してきたように、実施形態に係る照明装置１では、照明装置１の外側に設けられた部材に延伸部７０４ａ、７０５ａを支持させるのではなく、放熱器１００に設けられた部材１０６に、延伸部７０４ａ、７０５ａが支持される。そのため、実施形態に係る照明装置１によれば、放熱器１００に対して反射体７００の位置を精度良く固定することができる。ひいては、実施形態に係る照明装置１によれば、放熱器１００に設けられた発光素子に対して、反射体７００の位置を精度良く固定することができる。
【００６３】
また、実施形態に係る照明装置１では、放熱器１００と部材１０６とが一体成形されている。したがって、照明装置１によれば、部品の数を少なくすることができる。
【００６４】
また、実施形態に係る照明装置１によれば、化粧枠４００は、投光開口が形成され、反射体７００の少なくとも一部を覆うように設けられている。基材１１０は、放熱器１００を支持し、放熱器１００の周囲に取り付けられる環状の部材である。複数の固定部材の一例である複数のシャーシ５１０、５２０は、化粧枠４００の周縁部の一部及び基材１１０の周縁部の一部に固設させることで、化粧枠４００と基材１１０とを離間した状態で固定する。また、複数のシャーシ５１０、５２０には、化粧枠４００との間で天井を挟持する押さえ部材５１１、５２１が取り付けられている。そして、照明装置１によれば、反射体７００が、化粧枠４００の投光開口４０１を挿通して放熱器１００に着脱される。したがって、実施形態に係る照明装置１によれば、作業者等が、反射体７００の着脱時に照明装置１の外側に手を出すことができるので、反射体７００を容易に着脱することができる。
【００６５】
また、実施形態に係る照明装置１では、切り欠き１０４、１０５を、部材１０６上において、隣接する２つのシャーシ５１０、５２０間の中央部分に形成することができる。これにより、固定バネ７０４、７０５の延伸部７０４ａ、７０５ａが、切り欠き１０４、１０５に挿通された場合に、シャーシ５１０、５２０に接触することを抑制することができる。
【００６６】
また、実施形態に係る照明装置１では、切り欠き１０４、１０５を、隣接する２つのシャーシ５１０、５２０のそれぞれから、所定値以上の間隔をあけて部材１０６に形成することができる。これにより、固定バネ７０４、７０５の延伸部７０４ａ、７０５ａが、切り欠き１０４、１０５に挿通された場合に、シャーシ５１０、５２０に接触することを抑制することができる。
【００６７】
また、実施形態に係る照明装置１では、基材１１０は、延伸部７０４ａ、７０５ａと接触しない位置に設けられる。これにより、基材１１０と延伸部７０４ａ、７０５ａとが接触することを防止することができる。
【００６８】
また、実施形態に係る照明装置１では、シャーシ５１０、５２０は、放熱器１００との間に隙間が形成されるように基材１１０及び化粧枠４００に固設される。これにより、発光素子から発生する熱を放熱器１００から大気中に放出することができるので、放熱効果を向上させることができる。
【００６９】
また、以下で説明する実施形態に係る照明装置１において、シャーシ５１０、５２０は、化粧枠４００の投光開口４０１を挿通して基材１１０に取り付けられる反射体７００との間に隙間が形成されるように基材１１０及び化粧枠４００に固設される。これにより、シャーシ５１０、５２０に妨害されることなく反射体７００を放熱体１００に取り付けることができる。
【００７０】
また、以下で説明する実施形態に係る照明装置１において、基材１１０よりも下側の放熱フィンの部分１０２は、放熱フィンの内部から外側に向かって更に延びている。これにより、放熱フィンの大きさが大きくなり、発光素子から発生する熱をより多く外部に放出することができる。
【００７１】
また、上記実施形態に係る照明装置１は、実施形態や各図に表記した全ての部材を具備することを要しない。例えば、照明装置１は、２個のシャーシ５１０、５２０ではなく、３個以上のシャーシを具備してもよい。また、照明装置１は、２個の固定バネ７０４、７０５ではなく、３個以上の固定バネを具備してもよい。
【００７２】
また、上記実施形態に係る各部材の形状、原料及び材質は、実施形態や各図に表記した例に限られない。
【００７３】
また、上記実施形態では、固定ネジによって各部材を固設する例を示したが、照明装置１は、固定ネジ以外のピン等の固定部材によって各部材が固設されてもよい。
【００７４】
以上説明したとおり、上記実施形態によれば、反射体の位置を精度良く固定することができる。
【００７５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７６】
１        照明器具
１００    放熱器
１０６    部材
４５      発光素子
６００    発光モジュール
７００    反射体
７０４、７０５  固定バネ
【図１】
2014063620.tif 000003
【図２】
2014063620.tif 000004
【図３】
2014063620.tif 000005
【図４】
2014063620.tif 000006
【図５】
2014063620.tif 000007